(57)【特許請求の範囲】
【請求項１】
貯湯した湯を供給可能にする貯湯式の電気温水器であって、
給水源から給水された水が通水する通水路と、
この通水路から供給される水を貯えるタンクと、
このタンク内の水を電気的に加熱する電気式加熱部と、
上記通水路又は上記タンクを開閉する給水系機能部と、
上記通水路、上記タンク、上記電気式加熱部、及び、上記給水系機能部を外側から覆うように設けられたケーシングと、
このケーシングが壁に固定される場合と床に固定される場合の双方に兼用可能であり、これらの壁及び床のいずれに対しても固定可能な固定部材と、を有し、
上記ケーシングは、前後方向にそれぞれ設けられた前壁及び後壁と、上下方向にそれぞれ設けられた底壁及び上壁と、左右方向の両側に設けられた側壁と、を備え、
上記ケーシングは、その後壁を上記壁に固定する場合に上記固定部材を介して上記壁に固定可能な壁用固定部を備え、この壁用固定部は、上記壁に固定された状態の上記固定部材に係合可能であり、
上記ケーシングは、その底壁を上記床に固定する場合に上記固定部材を介して上記床に固定可能な床用固定部を備え、この床用固定部は、上記床に固定された状態の上記固定部材に係合可能であり、
上記固定部材は、上記壁又は上記床における第１固定位置及び第２固定位置のそれぞれに上記ケーシングを固定可能な第１固定部材及び第２固定部材をそれぞれ備え、
上記壁用固定部は、上記ケーシングの後壁を上記壁に固定する場合において、上記第１固定部材を介して上記壁の上記第１固定位置に固定可能に上記ケーシングの後壁に設けられた第１壁用固定部と、上記第２固定部材を介して上記壁の上記第２固定位置に固定可能な第２壁用固定部と、を備え、上記第２固定部材及び上記第２壁用固定部は、上記壁に固定された状態の上記第１固定部材に上記第１壁用固定部が係合された状態で両者の係合解除を規制するものであり、
上記床用固定部は、上記ケーシングの底壁を上記床に固定する場合において、上記第１固定部材を介して上記床の上記第１固定位置に固定可能に上記底壁に設けられた第１床用固定部と、上記第２固定部材を介して上記床の上記第２固定位置に固定可能な第２床用固定部と、を備え、上記第２固定部材及び上記第２床用固定部は、上記床に固定された状態の上記第１固定部材に上記第１床用固定部が係合された状態で両者の係合解除を規制するものであることを特徴とする電気温水器。
【請求項２】
上記第２壁用固定部は、上記ケーシングの後壁に設けられ、上記第２床用固定部は、上記ケーシングの底壁に設けられている請求項１記載の電気温水器。
【請求項３】
上記第１壁用固定部及び上記第２壁用固定部のそれぞれは、上記ケーシングの後壁に対して前方側に凹むように形成された第１凹部及び第２凹部にそれぞれ設けられており、上記第１固定部材及び上記第２固定部材のそれぞれは、上記ケーシングの後壁を上記壁に固定する場合に上記第１凹部及び上記第２凹部のそれぞれと嵌合可能であり、
上記第１凹部及び上記第２凹部のそれぞれに嵌合された状態の上記第１固定部材及び上記第２固定部材のそれぞれの壁側の面と上記ケーシングの後壁の最後壁面とは、互いに面一になるように設定されている請求項２記載の電気温水器。
【請求項４】
上記第１床用固定部は、上記ケーシングの底壁における最も後壁側に設けられており、上記床に固定された状態の上記第１固定部材に対して前方側から係合可能である請求項１乃至３の何れか１項に記載の電気温水器。
【請求項５】
上記第１壁用固定部は、上記タンクの満水時における上記電気温水器の重心よりも上方に位置している請求項１乃至３の何れか１項に記載の電気温水器。
【発明の詳細な説明】
【技術分野】
【０００１】
本発明は、電気温水器に係り、特に、貯湯した湯を供給可能にする貯湯式の電気温水器に関する。
【背景技術】
【０００２】
従来から、貯湯した湯を供給可能にする貯湯式の電気温水器として、例えば、特許文献１に記載されているように、壁掛式又はカウンタ式の洗面器の下方の立壁面に取り付けられるものが知られている。
このような従来の貯湯式の電気温水器においては、洗面器の下方の限られたスペースの立壁面に設置されるようになっている。
【先行技術文献】
【特許文献】
【０００３】
【特許文献１】特開２００５−１６４０７７号公報
【発明の概要】
【発明が解決しようとする課題】
【０００４】
しかしながら、上述した従来の貯湯式の電気温水器においては、床面には設置することができないため、洗面器の下方等に設置スペースをほとんど確保できない現場によっては、他のスペース等に壁掛用の壁を新たに設ける必要等も生じる。このため、施工負担が大きいという問題がある。
【０００５】
そこで、本発明は、上述した従来技術の問題を解決するためになされたものであり、設置場所の状況に応じて適宜設置形態を選択することができ、製品コストや施工コストを抑制することができる貯湯式の電気温水器を提供することを目的としている。
【課題を解決するための手段】
【０００６】
上述した課題を達成するために、本発明は、貯湯した湯を供給可能にする貯湯式の電気温水器であって、給水源から給水された水が通水する通水路と、この通水路から供給される水を貯えるタンクと、このタンク内の水を電気的に加熱する電気式加熱部と、上記通水路又は上記タンクを開閉する給水系機能部と、上記通水路、上記タンク、上記電気式加熱部、及び、上記給水系機能部を外側から覆うように設けられたケーシングと、このケーシングが壁に固定される場合と床に固定される場合の双方に兼用可能であり、これらの壁及び床のいずれに対しても固定可能な固定部材と、を有し、上記ケーシングは、前後方向にそれぞれ設けられた前壁及び後壁と、上下方向にそれぞれ設けられた底壁及び上壁と、左右方向の両側に設けられた側壁と、を備え、上記ケーシングは、その後壁を上記壁に固定する場合に上記固定部材を介して上記壁に固定可能な壁用固定部を備え、この壁用固定部は、上記壁に固定された状態の上記固定部材に係合可能であり、上記ケーシングは、その底壁を上記床に固定する場合に上記固定部材を介して上記床に固定可能な床用固定部を備え、この床用固定部は、上記床に固定された状態の上記固定部材に係合可能であり、上記固定部材は、上記壁又は上記床における第１固定位置及び第２固定位置のそれぞれに上記ケーシングを固定可能な第１固定部材及び第２固定部材をそれぞれ備え、上記壁用固定部は、上記ケーシングの後壁を上記壁に固定する場合において、上記第１固定部材を介して上記壁の上記第１固定位置に固定可能に上記ケーシングの後壁に設けられた第１壁用固定部と、上記第２固定部材を介して上記壁の上記第２固定位置に固定可能な第２壁用固定部と、を備え、上記第２固定部材及び上記第２壁用固定部は、上記壁に固定された状態の上記第１固定部材に上記第１壁用固定部が係合された状態で両者の係合解除を規制するものであり、上記床用固定部は、上記ケーシングの底壁を上記床に固定する場合において、上記第１固定部材を介して上記床の上記第１固定位置に固定可能に上記底壁に設けられた第１床用固定部と、上記第２固定部材を介して上記床の上記第２固定位置に固定可能な第２床用固定部と、を備え、上記第２固定部材及び上記第２床用固定部は、上記床に固定された状態の上記第１固定部材に上記第１床用固定部が係合された状態で両者の係合解除を規制するものであることを特徴としている。
このように構成された本発明においては、ケーシングが壁に固定される場合と床に固定される場合の双方に兼用可能な固定部材を用いることにより、ケーシングを共通の固定部材を介して壁又は床に固定することができる。
また、ケーシングの後壁を壁に固定する場合には、壁に固定した状態の固定部材に対してケーシングの壁用固定部を係合させることができる。
さらに、ケーシングの底壁を床に固定する場合においても、同一の固定部材を用いて、床に固定した状態の固定部材に対してケーシングの床用固定部を係合させることができる。
したがって、ケーシングを壁に固定する場合と床に固定する場合とに関わらず、固定部材を共通化させることができるため、製品コストや施工コストを抑制することができる。
また、電気温水器の設置場所の状況に応じて、ケーシングを壁に固定する設置形態や床に固定する設置形態を適宜選択することができるため、電気温水器の施工性を向上させることもできる。
さらに、壁に固定された状態の第１固定部材に第１壁用固定部が係合された状態では、第２固定部材と第２壁用固定部とが固定される。これにより、第１固定部材と第１壁用固定部との係合解除を確実に規制することができる。よって、電気温水器を壁に安定して固定することができる。
また、床に固定された状態の第１固定部材に第１床用固定部が係合された状態では、第２固定部材と第２床用固定部とが固定される。これにより、第１固定部材と第１床用固定部との係合解除を確実に規制することができる。よって、電気温水器を床に安定して固定することができる。
【０００８】
本発明において、好ましくは、上記第２壁用固定部は、上記ケーシングの後壁に設けられ、上記第２床用固定部は、上記ケーシングの底壁に設けられている。
このように構成された本発明においては、第２壁用固定部がケーシングの後壁に設けられているため、ケーシングの後壁を壁に固定した場合に第２壁用固定部や第２固定部材をケーシングと壁との間に隠蔽することができる。これにより、設置状態の電気温水器において、第２壁用固定部や第２固定部材が露出することがなく、外観性が損なわれることがない。
同様に、第２床用固定部がケーシングの底壁に設けられているため、ケーシングの底壁を床に固定した場合に第２床用固定部や第２固定部材をケーシングと床との間に隠蔽することができる。これにより、設置状態の電気温水器において、第２床用固定部や第２固定部材が露出することがなく、外観性が損なわれることがない。
【０００９】
本発明において、好ましくは、上記第１壁用固定部及び上記第２壁用固定部のそれぞれは、上記ケーシングの後壁に対して前方側に凹むように形成された第１凹部及び第２凹部にそれぞれ設けられており、上記第１固定部材及び上記第２固定部材のそれぞれは、上記ケーシングの後壁を上記壁に固定する場合に上記第１凹部及び上記第２凹部のそれぞれと嵌合可能であり、上記第１凹部及び上記第２凹部のそれぞれに嵌合された状態の上記第１固定部材及び上記第２固定部材のそれぞれの壁側の面と上記ケーシングの後壁の最後壁面とは、互いに面一になるように設定されている。
このように構成された本発明においては、ケーシングを壁に固定する場合、ケーシングの第１壁用固定部及び第２壁用固定部のそれぞれが、第１固定部材及び第２固定部材のそれぞれを介して壁に固定される。このような固定の際、第１壁用固定部の第１凹部及び第２壁用固定部の第２凹部のそれぞれに対して、第１固定部材及び第２固定部材のそれぞれが嵌合し、第１固定部材及び第２固定部材のそれぞれの壁側の面とケーシングの後壁の最後壁面とが互いに面一になる。
したがって、ケーシングの後壁と壁との間をほとんど隙間なく、ケーシングを壁に安定して固定することができる。
【００１０】
本発明において、好ましくは、上記第１床用固定部は、上記ケーシングの底壁における最も後壁側に設けられており、上記床に固定された状態の上記第１固定部材に対して前方側から係合可能である。
このように構成された本発明においては、ケーシングを床に固定する場合、ケーシングの底壁における最も後壁側に設けられた第１床用固定部について、床に固定された第１固定部材に向かって移動させる。これにより、第１床用固定部を第１固定部材の前方側から容易に係合させることができる。
したがって、電気温水器を床に固定する場合の施工性を向上させることができる。
【００１１】
本発明において、好ましくは、上記第１壁用固定部は、上記タンクの満水時における上記電気温水器の重心よりも上方に位置している。
このように構成された本発明においては、ケーシングを壁に固定した場合、ケーシングの第１壁用固定部がタンクの満水時における電気温水器の重心よりも上方に位置している。これにより、ケーシングの第１壁用固定部がタンクの満水時における電気温水器の重心と同一高さ位置及びそれよりも下方に位置している場合に比べて、ケーシングを壁から離間する方向に傾かせる力を抑制することができるため、電気温水器を壁に安定して設置することができる。
また、ケーシングが傾くことにより第１壁用固定部や第１固定部材に対して過度な力が作用して、第１壁用固定部や第１固定部材が破損してしまうことを抑制することができる。
【発明の効果】
【００１２】
本発明の貯湯式の電気温水器によれば、設置場所の状況に応じて適宜設置形態を選択することができ、製品コストや施工コストを抑制することができる。
【図面の簡単な説明】
【００１３】
【図１】本発明の一実施形態による貯湯式電気温水器の概略構成図である。
【図２】本発明の一実施形態による貯湯式電気温水器を壁に設置する場合において、電気温水器の本体が固定部材を介して壁に固定される前の状態を示す概略斜視図である。
【図３】本発明の一実施形態による貯湯式電気温水器の本体について斜め後方下側から見た斜視図である。
【図４】本発明の一実施形態による貯湯式電気温水器の本体を斜め後方下側から見た斜視図であり、本体が固定部材を介して壁に固定された状態を示す。
【図５】本発明の一実施形態による貯湯式電気温水器の背面図であり、本体が固定部材を介して壁に固定された状態を示す。
【図６】図５のＶＩ−ＶＩ線に沿った断面図であり、本発明の一実施形態による貯湯式電気温水器の壁用固定部と第１固体部材とが係合した状態を部分的に拡大した図である。
【図７】本発明の一実施形態による貯湯式電気温水器を床に設置する場合において、電気温水器の本体が固定部材を介して床に固定される前の状態を示す概略斜視図である。
【図８】本発明の一実施形態による貯湯式電気温水器の本体を斜め後方下側から見た斜視図であり、本体が固定部材を介して床に固定された状態を示す。
【図９】図８のＩＸ−ＩＸ線に沿った本発明の一実施形態による貯湯式電気温水器の底部の部分側面断面図であり、電気温水器の床用固定部と第１固体部材とが係合した状態を示す。
【発明を実施するための形態】
【００１４】
以下、添付図面を参照して本発明の一実施形態による貯湯式電気温水器について説明する。
図１は、本発明の一実施形態による貯湯式電気温水器の概略構成図である。
まず、図１に示すように、本発明の一実施形態による貯湯式電気温水器１は、電気温水器本体２と、この電気温水器本体２を操作可能にする操作部４とを備えている。
つぎに、図１に示すように、電気温水器本体２の内部には、通水路６、湯側電磁弁８、水側電磁弁１０、貯湯タンク１２、電気式ヒータ１４、湯水混合弁１６、吸気栓１８、吸気路２０、及び、制御ユニット２２等がそれぞれ設けられている。
また、図１に示すように、電気温水器本体２は、これらの内部要素６〜２２の外側を覆うように設けられたケーシング２４を備えている。
さらに、本実施形態の貯湯式電気温水器１は、その電気温水器本体２を壁面又は床面に固定可能にする第１固定部材２６及び第２固定部材２８（詳細は後述する）を備えている。これにより、電気温水器１は、設置場所の設置状況に応じて、共通の第１固定部材２６及び第２固定部材２８を兼用して、壁面に固定したり、床面に固定したりすることができるようになっている。
なお、共通の第１固定部材２６及び第２固定部材２８を用いて、電気温水器本体２を壁面に固定する場合と床面に固定する場合のそれぞれの場合における電気温水器１の具体的な固定構造の詳細については、後述する。
【００１５】
さらに、図１に示すように、操作部４は、電気温水器１のいくつかの設定を操作可能にするものである。具体的には、操作部４は、電源（図示せず）から供給される電力を用いて、電気温水器１の各部の作動に関する設定を電気的に操作することができ、給水系機能部である湯水混合弁１６及び吸気栓１８のそれぞれを操作することができるようになっている。
【００１６】
図１に示すように、通水路６は、その上流側が水道等の給水源（図示せず）に接続されており、この給水源（図示せず）から給水された水が通水するようになっており、通水路６の下流端は、適温にされた湯又は水の出口６ａとなっている。
また、図１に示すように、通水路６は、湯側通水路３０及び水側通水路３２をそれぞれ備えている。
湯側通水路３０は、タンク用通水路３０ａ及びタンクバイパス用通水路３０ｂを備えている。タンク用通水路３０ａは、貯湯タンク１２に接続され、タンクバイパス用通水路３０ｂは、貯湯タンク１２をバイパスして湯水混合弁１６に接続されている。
水側通水路３２は、通水路６の上流側で湯側通水路３０と独立に分岐した後、水側通水路３２の下流側で湯側通水路３０の下流側と再び合流するように接続されている。
さらに、湯側通水路３０及び水側通水路３２のそれぞれには、湯側電磁弁８及び水側電磁弁１０がそれぞれ設けられている。これらの電磁弁８，１０は、通水路３０，３２のそれぞれを開閉する開閉弁として機能し、給水系機能部の一部として機能している。
【００１７】
つぎに、図１に示すように、貯湯タンク１２は、タンク用通水路３０ａから給水された水を貯えるタンクである。
また、図１に示すように、電気式ヒータ１４は、貯湯タンク１２内に設けられている。この電気式ヒータ１４は、貯湯タンク１２内の水を電気的に加熱する電気式加熱部として機能するようになっている。
さらに、図１に示すように、湯水混合弁１６は、貯湯タンク１２の下流側のタンク用通水路３０ａの下流側とタンクバイパス用通水路３０ｂの下流側との接続部に設けられている。この湯水混合弁１６は、貯湯タンク１２の下流側の湯側通水路３０を開閉し、貯湯タンク１２から供給された湯とタンクバイパス用通水路３０ｂから供給された水とを混合する混合弁として機能し、給水系機能部の一部として機能している。
【００１８】
つぎに、図１に示すように、吸気栓１８及び吸気路２０は、例えば、電気温水器１のメンテナンス時等において貯湯タンク１２内の水を抜く際に、吸気栓１８を開くことで貯湯タンク１２への吸気を可能にするものであり、貯湯タンク１２を開閉する給水系機能部の一部として機能している。
さらに、図１に示すように、制御ユニット２２は、ケーシング２４内に設けられており、操作部４の操作に応じて電気温水器１の動作を制御する制御部として機能するようになっている。
【００１９】
つぎに、図２〜図９を参照して、本実施形態の貯湯式電気温水器１について、共通の第１固定部材２６及び第２固定部材２８を用いて、電気温水器本体２を壁面Ｗ又は床面Ｆに固定するための固定構造の詳細について説明する。
まず、図２〜図６を参照して、本実施形態の貯湯式電気温水器１を壁面に固定して設置する場合の固定構造について具体的に説明する。
図２は、本発明の一実施形態による貯湯式電気温水器を壁に設置する場合において、電気温水器の本体が固定部材を介して壁に固定される前の状態を示す概略斜視図である。
また、図３は、本発明の一実施形態による貯湯式電気温水器の本体について斜め後方下側から見た斜視図である。
さらに、図４は、本発明の一実施形態による貯湯式電気温水器の本体を斜め後方下側から見た斜視図であり、本体が固定部材を介して壁に固定された状態を示す。
また、図５は、本発明の一実施形態による貯湯式電気温水器の背面図であり、本体が固定部材を介して壁に固定された状態を示す。
さらに、図６は、図５のＶＩ−ＶＩ線に沿った断面図であり、本発明の一実施形態による貯湯式電気温水器の壁用固定部と第１固体部材とが係合した状態を部分的に拡大した図である。
【００２０】
まず、図２及び図３に示すように、電気温水器本体２のケーシング２４は、前後方向にそれぞれ設けられた前壁３４及び後壁３６と、上下方向にそれぞれ設けられた底壁３８及び上壁４０と、左右方向の両側に設けられた側壁４２，４４と、を備えている。また、ケーシング２４の前壁３４には操作部４が設けられている。
つぎに、図３に示すように、ケーシング２４の後壁３６は、最も後端側に位置する最後壁面３６ａと、この最後壁面３６ａに対して前側に凹んだ凹部３６ｂと、を備えている。
また、図２〜図４に示すように、ケーシング２４の後壁３６の凹部３６ｂには、左右一対の壁用固定穴４６ａ，４６ｂ（第１壁用固定部）がそれぞれ形成されている。
【００２１】
つぎに、図２に示すように、第１固定部材２６は、金属製の板状部材である。この第１固定部材２６は、電気温水器本体２が壁面Ｗに固定される前の状態では、ビス４８によって第１固定部材２６の一対の取付穴２６ａ，２６ｂを介して壁面Ｗの第１固定位置Ｐ１に固定されるようになっている。
また、図２に示すように、第１固定部材２６は、左右一対の係合突起２６ｃ，２６ｄを備えている。これらの係合突起２６ｃ，２６ｄのそれぞれは、その下方側の基端から上方側の先端まで斜め前方且つ上方に向かって突出している。
そして、図６に示すように、壁面Ｗに固定された状態の第１固定部材２６に対して電気温水器本体２を固定する際には、ケーシング２４の後壁３６の一対の壁用固定穴４６ａ，４６ｂのそれぞれに対して一対の係合突起２６ｃ，２６ｄのそれぞれが挿入可能となっている。
また、図６に示すように、第１固定部材２６の係合突起２６ｃ，２６ｄのそれぞれは、壁用固定穴４６ａ，４６ｂのそれぞれに挿入された状態では、電気温水器本体２の壁用固定穴４６ａ，４６ｂのそれぞれの上側の後壁部３６ｃに係合可能となっている。これにより、電気温水器本体２は、第１固定部材２６を介して壁面Ｗに壁掛けされた状態で固定されるようになっている。
【００２２】
つぎに、図４及び図５に示すように、第２固定部材２８は、電気温水器本体２のケーシング２４を壁面Ｗの第１固定位置Ｐ１よりも下方の第２固定位置Ｐ２で固定可能にする金属製又は樹脂製の板状部材である。
また、図３に示すように、ケーシング２４の最後壁面３６ａの下端部の左右中央には、第２固定部材２８が取り付けられる第２壁用固定部として、第２固定部材取付用の凹部５０及び一対の凸部５２，５２が設けられている。これにより、第２固定部材２８の上方部分は、これらの凹部５０及び凸部５２，５２に嵌合可能となっている。また、凹部５０には、ビス穴５０ａが設けられている。
さらに、図４及び図５に示すように、第２固定部材２８の上方部分には、一対の嵌合穴２８ａ，２８ａ及び単一のビス穴２８ｂが設けられている。ケーシング２４が壁面Ｗに固定される前の状態では、ケーシング２４の第２固定部材取付用の凹部５０に対して第２固定部材２８の上方部分が予め嵌め込まれると共に、ケーシング２４の第２固定部材取付用の一対の凸部５２，５２に対して、第２固定部材２８の一対の嵌合穴２８ａ，２８ａが予め嵌め込まれるようになっている。
そして、図３〜図５に示すように、凹部５０のビス穴５０ａと一致する第２固定部材２８のビス穴２８ｂに対してビス５４が後方側から取り付けられることにより、第２固定部材２８の上方部分が凹部５０に固定されるようになっている。
【００２３】
つぎに、図６に示すように、ケーシング２４の壁用固定穴４６ａ，４６ｂのそれぞれが、壁面Ｗに固定された状態の第１固定部材２６の係合突起２６ｃ，２６ｄのそれぞれに対して係合されると、ケーシング２４の壁用固定穴４６ａ，４６ｂのそれぞれが壁面Ｗの第１固定位置Ｐ１に固定されるようになっている。
その後、図４及び図５に示すように、第２固定部材２８の下方部分の長穴２８ｃ対してビス４８が前側から壁面Ｗに向かって取り付けられることにより、第２固定部材２８が壁面Ｗの第２固定位置Ｐ２に固定されるようになっている。そして、ケーシング２４が壁面Ｗの第１固定位置Ｐ１及び第２固定位置Ｐ２のそれぞれにおいて完全に固定された状態となる。
【００２４】
特に、第２壁用固定部である第２固定部材取付用の凹部５０及び一対の凸部５２，５２、並びに、第２固定部材２８は、壁面Ｗに固定された状態の第１固定部材２６とケーシング２４の第１壁用固定穴４６ａ，４６ｂとが係合した状態で両者の係合解除を規制するものとして機能するようになっている。
さらに、図４に示すように、ケーシング２４の最後壁面３６ａの左右両側についても、上述した第２固定部材取付用の凹部５０及び一対の凸部５２，５２と同様な第２壁用固定部Ａが設けられており、第２壁用固定部Ａに対して第２固定部材２８が取り付け可能となっている。
これにより、第２壁用固定部Ａについても、第２固定部材２８と共に、壁面Ｗに固定された状態の第１固定部材２６とケーシング２４の第１壁用固定穴４６ａ，４６ｂとの係合解除を規制するものとして機能するようになっている。
【００２５】
ここで、図３〜図６に示すように、第１固定部材２６がケーシング２４の凹部３６ｂに嵌合し、第２固定部材２８がケーシング２４の凹部５０の及び凸部５２に嵌合した状態では、第１固定部材２６及び第２固定部材２８のそれぞれの壁面Ｗ側の面Ａ１，Ａ２が、ケーシング２４の最後壁面３６ａに対して互いに面一になるように設定されている。
これにより、ケーシング２４の最後壁面３６ａと壁面Ｗとの間をほとんど隙間なく、ケーシング２４を壁面Ｗに安定して固定することができるようになっている。
【００２６】
つぎに、図５に示すように、ケーシング２４の壁用固定穴４６ａ，４６ｂは、貯湯タンク１２の満水時における電気温水器１の重心Ｇよりも上方に位置している。
これにより、ケーシング２４の壁用固定穴４６ａ，４６ｂが貯湯タンク２４の満水時における電気温水器１の重心Ｇと同一高さ位置及びそれよりも下方に位置している場合に比べて、ケーシング２４を壁面Ｗから離間する方向に傾かせる力を抑制することができるため、電気温水器１を壁面Ｗに安定して設置することができるようになっている。
また、ケーシング２４の上方部分が前側に傾くことにより壁用固定穴４６ａ，４６ｂや第１固定部材２６に対して過度な力が作用し、壁用固定穴４６ａ，４６ｂや第１固定部材２６が破損してしまうことを抑制することができるようになっている。
【００２７】
つぎに、図３及び図７〜図９を参照して、本実施形態の貯湯式電気温水器１を床面Ｆに固定して設置する場合の固定構造について具体的に説明する。
図７は、本発明の一実施形態による貯湯式電気温水器を床に設置する場合において、電気温水器の本体が固定部材を介して床に固定される前の状態を示す概略斜視図である。
また、図８は、本発明の一実施形態による貯湯式電気温水器の本体を斜め後方下側から見た斜視図であり、本体が固定部材を介して床に固定された状態を示す。
さらに、図９は、図８のＩＸ−ＩＸ線に沿った本発明の一実施形態による貯湯式電気温水器の底部の部分側面断面図であり、電気温水器の床用固定部と第１固体部材とが係合した状態を示す。
【００２８】
まず、図７に示すように、第１固定部材２６は、電気温水器本体２が床面Ｆに固定される前の状態では、ビス４８によって第１固定部材２６の一対の取付穴２６ａ，２６ｂを介して床面Ｗの第１固定位置Ｑ１に固定されるようになっている。これにより、第１固定部材２６は、ケーシング２４が壁面Ｗに固定される場合と床面Ｆに固定される場合の双方に兼用可能となっている。
また、図７に示すように、床面Ｆに固定された状態の第１固定部材２６の係合突起２６ｃ，２６ｄのそれぞれは、その後方側の基端から前方側の先端まで斜め前方且つ上方に向かって突出している。
【００２９】
つぎに、図３に示すように、電気温水器本体２のケーシング２４の底壁３８には、複数の脚部５８，６０，６２が設けられている。
図３、図８及び図９に示すように、脚部５８は、ケーシング２４の底壁３６において最も後壁３６側に設けられている。また、脚部５８の後方側には、床面Ｆに固定された状態の第１固定部材２６の一対の係合突起２６ｃ，２６ｄのそれぞれに対して前方側から係合可能な床固定用の係合部６４ｂ，６４ａ（第１床用固定部）がそれぞれ設けられている。
図３及び図７〜図９に示すように、ケーシング２４を床面Ｆに固定する場合、ケーシング２４の底壁３６における最も後壁３６側に設けられた係合部６４ｂ，６４ａについて、床面Ｆに固定された第１固定部材２６に向かって前方側から後方側に移動させることにより、第１固定部材２６の係合突起２６ｃ，２６ｄに対して前方側から係合させることができるようになっている。
また、係合部６４ｂ，６４ａと係合突起２６ｃ，２６ｄとが互いに係合した状態では、電気温水器本体２は、第１固定部材２６を介して床面Ｆに固定された状態となっている。
【００３０】
つぎに、図３、図８及び図９に示すように、各脚部６０，６２は、その下端側から上側に凹んだ第２固定部材取付用の凹部６０ａ，６２ａ（第２床用固定部）を備えており、第２固定部材２８は、各凹部６０ａ，６２ａに対して下側から嵌合可能となっている。
また、図３及び図８に示すように、各凹部６０ａ，６２ａ内には、第２固定部材取付用の一対の凸部６０ｂ，６０ｂ及び一対の凸部６２ｂ，６２ｂがそれぞれ設けられていると共に、ビス穴６０ｃ，６２ｃが設けられている。
これらにより、ケーシング２４が床面Ｆに固定される前の状態では、ケーシング２４の第２固定部材取付用の凹部６０ａ又は６２ａに対して第２固定部材２８の一部が予め嵌め込まれると共に、ケーシング２４の第２固定部材取付用の一対の凸部６０ｂ，６０ｂ又は凸部６２ｂ，６２ｂに対して、第２固定部材２８の一対の嵌合穴２８ａ，２８ａ（図８参照）が予め嵌め込まれるようになっている。
そして、図８に示すように、凹部６０ａ又は６２ａにおけるビス穴６０ｃ又は６２ｃと一致する第２固定部材２８のビス穴２８ｂに対してビス５４が下側から取り付けられることにより、第２固定部材２８の一部が凹部６０ａ又は６２ａに固定されるようになっている。
なお、図８に示す本実施形態では、第２固定部材２８が脚部６０のみの凹部６０ａに固定された形態について説明するが、第２固定部材２８については、脚部６２の凹部６２ａに固定されてもよく、双方の脚部６０，６２の凹部６０ａ，６２ａのそれぞれに固定されてもよい。
【００３１】
つぎに、図９に示すように、ケーシング２４の床固定用の係合部６４ｂ，６４ａのそれぞれが、床面Ｆに固定された状態の第１固定部材２６の係合突起２６ｃ，２６ｄのそれぞれに対して係合されると、ケーシング２４の床固定用の係合部６４ｂ，６４ａのそれぞれが床面Ｆの第１固定位置Ｑ１に固定されるようになっている。
その後、図８及び図９に示すように、第２固定部材２８の長穴２８ｃ対してビス４８が上側から床面Ｆに向かって取り付けられることにより、第２固定部材２８が床面Ｆの第２固定位置Ｑ２に固定されるようになっている。そして、ケーシング２４が床面Ｆの第１固定位置Ｑ１及び第２固定位置Ｑ２のそれぞれにおいて完全に固定された状態となる。
【００３２】
特に、第２壁用固定部である第２固定部材取付用の凹部６０ａ（又は６２ａ）及び一対の凸部６０ｂ，６０ｂ（又は６２ｂ，６２ｂ）、並びに、第２固定部材２８は、床面Ｆに固定された状態の第１固定部材２６とケーシング２４の床固定用の係合部６４ａ，６４ｂとが係合した状態で両者の係合解除を規制するものとして機能するようになっている。
【００３３】
ここで、図８及び図９に示すように、第１固定部材２６の各係合突起２６ｃ，２６ｄがケーシング２４の床固定用の係合部６４ｂ，６４ａのそれぞれに係合し、第２固定部材２８がケーシング２４の第２固定部材取付用の凹部６０ａ及び凸部６０ｂに嵌合した状態では、各脚部５８，６０，６２の下端面、並びに、第１固定部材２６及び第２固定部材２８のそれぞれの床面Ｆ側の面Ａ１，Ａ２が、床面Ｆに対して互いに面一になるように設定されている。
これにより、ケーシング２４の各脚部５８，６０，６２の下端面、並びに、第１固定部材２６及び第２固定部材２８のそれぞれの床面Ｆ側の面Ａ１，Ａ２と床面Ｆとの間をほとんど隙間なく、ケーシング２４を床面Ｗに安定して固定することができるようになっている。
【００３４】
つぎに、図１〜図９を参照して、本発明の一実施形態による貯湯式電気温水器１の作用について説明する。
上述した本発明の一実施形態による貯湯式電気温水器１によれば、ケーシング２４が壁面Ｗに固定される場合と床面Ｆに固定される場合の双方に兼用可能な固定部材２６，２８を用いることにより、ケーシング２４を共通の固定部材２６，２８を介して壁面Ｗ又は床面Ｆに固定することができる。
また、ケーシング２４の後壁３６を壁面Ｗに固定する場合には、壁面Ｗに固定した状態の第１固定部材２６に対してケーシング２４の第１壁用固定部（壁用固定穴４６ａ，４６ｂ）を係合させることができる。
さらに、ケーシング２４の底壁３８を床面Ｆに固定する場合においても、同一の第１固定部材２６を用いて、床面Ｆに固定した状態の第１固定部材２６に対してケーシング２４の第１床用固定部（床固定用の係合部６４ａ，６４ｂ）を係合させることができる。
したがって、ケーシング２４を壁面Ｗに固定する場合と床面Ｆに固定する場合とに関わらず、第１固定部材２６を共通化させることができるため、製品コストや施工コストを抑制することができる。
また、電気温水器１の設置場所の状況に応じて、ケーシング２４を壁面Ｗに固定する設置形態や床面Ｆに固定する設置形態を適宜選択することができるため、電気温水器１の施工性を向上させることもできる。
【００３５】
また、本実施形態の貯湯式電気温水器１によれば、壁面Ｗに固定された状態の第１固定部材２６の各係合突起２６ｃ，２６ｄに第１壁用固定部（壁用固定穴４６ａ，４６ｂ）のそれぞれが係合された状態では、第２固定部材２８と第２壁用固定部（第２固定部材取付用の凹部５０及び凸部５２）とが固定される。これにより、第１固定部材２６の各係合突起２６ｃ，２６ｄと第１壁用固定部（壁用固定穴４６ａ，４６ｂ）との係合解除を確実に規制することができる。よって、電気温水器１を壁面Ｗに安定して固定することができる。
また、床面Ｆに固定された状態の第１固定部材２６の各係合突起２６ｃ，２６ｄに第１床用固定部（床固定用の係合部６４ｂ，６４ａ）が係合された状態では、第２固定部材２８と第２床用固定部（第２固定部材取付用の凹部６０ａ，６２ａ及び凸部６０ｂ，６２ｂ）とが固定される。これにより、第１固定部材２６の各係合突起２６ｃ，２６ｄと第１床用固定部（床固定用の係合部６４ｂ，６４ａ）との係合解除を確実に規制することができる。よって、電気温水器１を床面Ｆに安定して固定することができる。
【００３６】
さらに、本実施形態の貯湯式電気温水器１によれば、第２壁用固定部（第２固定部材取付用の凹部５０及び凸部５２）がケーシング２４の後壁３６に設けられているため、ケーシング２４の後壁３６を壁面Ｗに固定した場合に第２壁用固定部（第２固定部材取付用の凹部５０及び凸部５２）や第２固定部材２８の一部をケーシング２４と壁面Ｗとの間に隠蔽することができる。これにより、設置状態の電気温水器１において、第２壁用固定部（第２固定部材取付用の凹部５０及び凸部５２）や第２固定部材２８の一部が露出することがなく、外観性が損なわれることがない。
同様に、第２床用固定部（第２固定部材取付用の凹部６０ａ，６２ａ及び凸部６０ｂ，６２ｂ）がケーシング２４の底壁３８の脚部６０，６２に設けられているため、ケーシング２４の底壁３８を床面Ｆに固定した場合に第２床用固定部（第２固定部材取付用の凹部６０ａ，６２ａ及び凸部６０ｂ，６２ｂ）や第２固定部材２８の一部をケーシング２４と床面Ｆとの間に隠蔽することができる。これにより、設置状態の電気温水器１において、第２床用固定部（第２固定部材取付用の凹部６０ａ，６２ａ及び凸部６０ｂ，６２ｂ）や第２固定部材２８の一部が露出することがなく、外観性が損なわれることがない。
【００３７】
また、本実施形態の貯湯式電気温水器１によれば、ケーシング２４を壁面Ｗに固定する場合、ケーシング２４の第１壁用固定部（壁用固定穴４６ａ，４６ｂ）及び第２壁用固定部（第２固定部材取付用の凹部５０及び凸部５２）のそれぞれが、第１固定部材２６及び第２固定部材２８のそれぞれを介して壁面Ｗに固定される。このような固定の際、第１壁用固定部の第１凹部３６ｂ及び第２壁用固定部の第２凹部５０のそれぞれに対して、第１固定部材２６及び第２固定部材２８のそれぞれが嵌合し、第１固定部材２６及び第２固定部材２８のそれぞれの壁面Ｗ側の面Ａ１，Ａ２とケーシング２４の最後壁面３６ａとが互いに面一になる。
したがって、ケーシング２４の最後壁面３６ａと壁面Ｗとの間をほとんど隙間なく、ケーシング２４を壁面Ｗに安定して固定することができる。
【００３８】
さらに、本実施形態の貯湯式電気温水器１によれば、ケーシング２４を床面Ｆに固定する場合、ケーシング２４の底壁３８における最も後壁３６側に設けられた第１床用固定部（床固定用の係合部６４ｂ，６４ａ）について、床面Ｆに固定された第１固定部材２６の係合突起２６ｃ，２６ｄに向かって移動させる。これにより、第１床用固定部（床固定用の係合部６４ｂ，６４ａ）を第１固定部材２６の前方側から容易に係合させることができる。
したがって、電気温水器１を床面Ｆに固定する場合の施工性を向上させることができる。
【００３９】
また、本実施形態の貯湯式電気温水器１によれば、ケーシング２４を壁面Ｗに固定した場合、ケーシング２４の第１壁用固定部（壁用固定穴４６ａ，４６ｂ）が貯湯タンク１２の満水時における電気温水器１の重心Ｇよりも上方に位置している。これにより、ケーシング２４の第１壁用固定部（壁用固定穴４６ａ，４６ｂ）が貯湯タンク１２の満水時における電気温水器の重心Ｇと同一高さ位置及びそれよりも下方に位置している場合に比べて、ケーシング２４を壁面Ｗから離間する方向に傾かせる力を抑制することができるため、電気温水器１を壁面Ｗに安定して設置することができる。
また、ケーシング２４が傾くことにより第１壁用固定部（壁用固定穴４６ａ，４６ｂ）や第１固定部材２６の係合突起２６ｃ，２６ｄに対して過度な力が作用して、第１壁用固定部（壁用固定穴４６ａ，４６ｂ）や第１固定部材２６が破損してしまうことを抑制することができる。
【００４０】
なお、上述した本発明の一実施形態による貯湯式電気温水器１及び第２実施形態による貯湯式電気温水器１００においては、貯湯タンク１２の上流側（一次側）の湯側電磁弁８を操作することにより止水可能な、いわゆる、「元止め式」を採用した形態について説明したが、他の形態についても採用可能である。
すなわち、他の形態として、貯湯タンク１２の下流側（二次側）において、開閉弁等を操作することにより止水可能な、いわゆる、「先止め式」を採用した形態であってもよい。このような「先止め式」を採用した場合には、例えば、貯湯タンク１２に逃し弁を設けると共に、操作部４に逃し弁を手動で操作する逃し弁レバーを設けてもよい。これにより、逃し弁の弁体の固着などによる、逃し弁の動作不良時には、逃し弁レバーを操作することにより、逃し弁の弁体を開弁させ、逃し弁の動作不良を解消できるようにしてもよい。
【符号の説明】
【００４１】
１    貯湯式電気温水器
２    電気温水器本体
４    操作部
６    通水路
６ａ  出口
８    湯側電磁弁（給水系機能部）
１０    水側電磁弁（給水系機能部）
１２    貯湯タンク（タンク）
１４    電気式ヒータ（電気式加熱部）
１６    湯水混合弁（給水系機能部、混合弁）
１８    吸気栓（給水系機能部）
２０    吸気路（給水系機能部）
２２    制御ユニット（制御部）
２４    ケーシング
２６    第１固定部材
２６ａ  取付穴
２６ｂ  取付穴
２６ｃ  係合突起
２６ｄ  係合突起
２８    第２固定部材
２８ａ  嵌合穴
２８ｂ  ビス穴
２８ｃ  長穴
３０    湯側通水路
３０ａ  タンク用通水路
３０ｂ  タンクバイパス用通水路
３２    水側通水路
３４    ケーシングの前壁
３６    ケーシングの後壁
３６ａ  最後壁面
３６ｂ  凹部（第１壁用固定部の第１凹部）
３６ｃ  後壁部
３８    ケーシングの底壁
４０    ケーシングの上壁
４２    ケーシングの側壁
４４    ケーシングの側壁
４６ａ  壁用固定穴（第１壁用固定部、第１凹部）
４６ｂ  壁用固定穴（第１壁用固定部、第１凹部）
４８    ビス
５０    第２固定部材取付用の凹部（第２壁用固定部、第２凹部）
５０ａ  ビス穴
５２    第２固定部材取付用の凸部（第２壁用固定部）
５４    ビス
５８    脚部
６０    脚部
６０ａ  第２固定部材取付用の凹部（第２床用固定部）
６０ｂ  第２固定部材取付用の凸部（第２床用固定部）
６０ｃ  ビス穴
６２    脚部
６２ａ  第２固定部材取付用の凹部（第２床用固定部）
６２ｂ  第２固定部材取付用の凸部（第２床用固定部）
６２ｃ  ビス穴
６４ａ  床固定用の係合部（第１床用固定部）
６４ｂ  床固定用の係合部（第１床用固定部）
Ａ    第２壁用固定部
Ａ１  第１固定部材の壁側の面
Ａ２  第２固定部材の壁側の面
Ｐ１  第１固定位置
Ｐ２  第２固定位置
Ｑ１  第１固定位置
Ｑ２  第２固定位置
Ｗ    壁面
Ｆ    床面
【図１】
0006988271.tif 000002
【図２】
0006988271.tif 000003
【図３】
0006988271.tif 000004
【図４】
0006988271.tif 000005
【図５】
0006988271.tif 000006
【図６】
0006988271.tif 000007
【図７】
0006988271.tif 000008
【図８】
0006988271.tif 000009
【図９】
0006988271.tif 000010